(57)【特許請求の範囲】
【請求項１】
河川堤防等に設けられる樋管に水路河床部ヒンジ方式で設置され、河川水位の変動に対して自動的に扉体が起立・倒伏作動して樋管通水断面を開放および閉鎖する浮体式起伏ゲート設備であって、扉体先端部にワイヤーロープの一端を取り付け、同ワイヤーロープの他端を巻取り・巻出しドラムに連結し、巻取り・巻出しドラムを回転作動させることによって扉体を強制的に起立作動させてゲート閉操作を行う浮体式起伏型ゲートの扉体起立・倒伏作動装置において、
前記巻取り・巻出しドラムの駆動軸と前記巻取り・巻出しドラムを回転させる動力発生装置の入力軸がクラッチを介して接続・開放可能に連結され、
さらに前記ワイヤー巻取り・巻出しドラムの駆動軸には常にワイヤー巻取り方向に回転力を作用させるバネ式緊張装置が連結されるとともに、ワイヤー巻出し方向の回転速度を制御する遠心ブレーキ装置が連結されていることを特徴とする浮体式起伏型ゲートの扉体起立・倒伏作動装置。
【請求項２】
ワイヤーロープは、側部戸当金物に設けられたワイヤー溝内に納められ、ワイヤー溝内には転向滑車、ワイヤーガイドが設置されてワイヤーロープの巻き取り、巻出しできる経路が形成されていることを特徴とする請求項１記載の浮体式起伏型ゲートの扉体起立・倒伏作動装置。
【発明の詳細な説明】
【技術分野】
【０００１】
本発明は、水圧作用力と重力を原動力として自動開閉作動を行う浮体式起伏ゲート設備において、扉体を強制的に起立・倒伏作動させることが可能な浮体式起伏ゲートの扉体起立・倒伏作動装置に関する。               
【背景技術】
【０００２】
河川堤防の樋管に、河川水の逆流防止を目的として河川水位の変化に応じて浮体式の扉体を自動的に開閉作動させることが可能な浮体式起伏ゲート設備が設置されている。
【０００３】
図６は、河川堤防の樋門の出口を開放・閉塞するゲート設備として設置された従来の浮体式起伏型ゲート設備を示す側断面図であり、同図の（ａ）は全閉状態を示し、（ｂ）は開放状態を示す。
【０００４】
図６において、河川堤防の樋管の出口に浮体式起伏型扉体２５が設置されている。この浮体式起伏型扉体２５は、樋管出口の水路部床にヒンジ２６で設置されており、水路部の上下流の水位変化による水圧力（浮力）を利用して樋管の出口を自動開閉するようになっている。２７は側部戸当金物である。
【０００５】
図６（ａ）に示すように、本河川側の水位４１が支川側（樋管）の水位４２より高いときは、浮体式起伏型扉体２５が起立して樋管出口を閉塞し、水の逆流を防止する。また、本河川側の水位４１が支川側（樋管）の水位４２に近づくと、浮体式起伏型扉体２５が徐々に開放し、本河川側の水位４１が支川側（樋管）の水位４２より低くなると、図６（ｂ）に示すように浮体式起伏型扉体２５が開放して支川側（樋管）の水が本河川側に自然排水される。
【０００６】
このように、このゲート形式は、水路河床に下部ヒンジ方式で設置された浮体式の扉体がゲートの上・下流水位変化に対し、その水圧作用力と重力を原動力とし的確に開閉作動することから、人為的な操作を必要とせずに樋管の止水・排水管理が可能となる。
【０００７】
しかしながら、従来の浮体式起伏型ゲート設備は、ゲート全開時において倒伏した扉体の上部又は下部河床部に土砂が堆積すると扉体の完全な起立・倒伏動作が困難となり、土砂堆積が過度に進行すると、堆積土砂の重量によって扉体の自動起立作動が不可能になるなどの問題点を有している。
【０００８】
この問題に対応するため、図５に示すように、小形の浮体式起伏ゲート設備において、扉体２５の先端のワイヤーロープ連結部２４にワイヤーロープ２２の一端を取付け、ワイヤーロープ２２の他端を転向滑車２３、ワイヤーガイド２９を介してワイヤー巻取装置３１のドラムに巻き取り・巻き戻し可能に連結する。ワイヤー巻取装置３２のドラムの回転操作によってワイヤーロープ２２を巻き取りあるいは巻出しにより扉体２５を強制的に起立・倒伏作動させることができる扉体操作装置を設置した事例がある。なお、３０は上部戸当金物、３１は上部支持金物である。
【先行技術文献】
【特許文献】
【０００９】
【特許文献１】特許第３４８８６５３号明細書
【発明の概要】
【発明が解決しようとする課題】
【００１０】
しかしながら、扉体２５の自由な自動起立・倒伏動作を可能とするためには、全倒伏状態の扉体２５の位置に対応するワイヤーロープ２２の巻出し長さが必要となる。このため、扉体２５が倒伏状態から、図５に示すように自動起立作動を行っている状態ではワイヤーロープ２２が扉体上面で弛んだ状態となり、この弛んだワイヤーロープ２２がゲート自動全閉時において扉体２５と上部戸当金物３０や上部支持金物３１との間に挟まり込み、ゲート不完全閉作動障害を発生させるという重大な問題点を有している。
【００１１】
そこで、本発明は、扉体を強制的に起立・倒伏作動が可能な浮体式起伏ゲートの扉体の自動起立・倒伏作動時において、扉体でワイヤーロープが弛むことなく常時緊張状態を確保してゲート全閉作動に支障が発生しない、浮体式起伏型ゲートの扉体起立・倒伏作動装置を提供するものである。
【課題を解決するための手段】
【００１２】
前記の問題点を解決するため、本発明の浮体式起伏ゲートの扉体起立・倒伏作動装置は、河川堤防等に設けられる樋管に水路河床部ヒンジ方式で設置され、河川水位の変動に対して自動的に扉体が起立・倒伏作動して樋管通水断面を開放および閉鎖する浮体式起伏ゲート設備であって、扉体先端部にワイヤーロープの一端を取り付け、同ワイヤーロープの他端を巻取り・巻出しドラムに連結し、巻取り・巻出しドラムを回転作動させることによって扉体を強制的に起立作動させてゲート閉操作を行う扉体起立・倒伏作動装置において、前記巻取り・巻出しドラムの駆動軸と前記巻取り・巻出しドラムを回転させる動力発生装置の入力軸がクラッチを介して接続・開放可能に連結され、さらに前記ワイヤー巻取り・巻出しドラムの駆動軸には常にワイヤー巻取り方向に回転力を作用させるバネ式緊張装置が連結されるとともに、ワイヤー巻出し方向の回転速度を制御する遠心ブレーキ装置が連結されていることを特徴とする。
【発明の効果】
【００１３】
本発明の浮体式起伏ゲートの扉体起立・倒伏作動装置は、クラッチを開放した状態において、扉体が水位変動により自動起立作動する場合は巻取りドラムがバネ式緊張装置によって常に巻取り方向に回転しようとすることによりワイヤーの弛み発生を防止する。
【００１４】
反対にクラッチを開放して自動倒伏作動時には、遠心ブレーキ装置によって扉体の急速な倒伏動作を防止することができる。
【図面の簡単な説明】
【００１５】
【図１】本発明の扉体作動装置の機構図である。
【図２】本発明の扉体作動装置を備えた浮体式起伏ゲート設備の全体図である。
【図３】本発明の扉体作動装置を備えた浮体式起伏ゲート設備において、（ａ)は扉体起立状態を示す図、（ｂ）は扉体起立状態を示す図である。
【図４】本発明の扉体作動装置を備えた浮体式起伏ゲート設備において、扉体の自動起立作動時の状態を示す図である。
【図５】従来の扉体作動装置を備えた浮体式起伏ゲート設備において、扉体の自動起立作動時の状態を示す図である。
【図６】従来の浮体式起伏ゲート設備を示し、(ａ)は止水状態を示す図、(ｂ)は排水状態を示すである。
【発明を実施するための形態】
【００１６】
図１において、装置架台１２上に設置される動力発生装置としてウォーム減速機１、多板クラッチ２、ギヤボックス（変速機）３、駆動軸４が順次連結され、駆動軸４にはワイヤー巻取り・巻出しドラム５が固定され、ウォーム減速機１を手動ハンドル操作により回転させ、多板クラッチ２、ギヤボックス（変速機）３及びワイヤー巻取り・巻出しドラム５を回転作動させることができる機構となっている。多板クラッチ２はクラッチ操作ハンドル１０で入り・切りされる。
【００１７】
ワイヤー巻取り・巻出しドラム５は、駆動軸４によって渦巻きバネからなるバネ式緊張装置６と連結している。バネ式緊張装置６はワイヤー巻取り・巻出しドラム５がワイヤーロープ巻出し回転することによってねじられるものとする。また、ワイヤー巻取り・巻出しドラム５は、駆動軸４、ギヤボックス３、軸継手７、遠心ブレーキ軸８を経由して遠心ブレーキ９と連結している。遠心ブレーキ軸８には開度計１１が設けられ、扉体の起立・倒伏動作にともない駆動軸４、ギヤボックス３、軸継手７、遠心ブレーキ軸８の回転が伝達されて扉体の開度が表示される。
【００１８】
図２及び図３において、本発明の扉体作動装置２１のワイヤー巻取りドラム５にワイヤーロープ２２の一端が連結され、浮体構造で起伏型の扉体２５の上部に設けられたワイヤーロープ連結部２４にワイヤーロープ２２の一端が連結されている。
【００１９】
ワイヤーロープ２２は、側部戸当金物２７に設けられたワイヤー溝２８内に納められ、樋管の通水断面外とし、排水時の流木・塵芥による支障が発生しないようにされている。    ワイヤー溝２８内には転向滑車２３、ワイヤーガイド２９が設置され、ワイヤーロープ２２が円滑に巻き取り、巻出しできる経路が確保されている。
【００２０】
図１に示すように、多板クラッチ２を接続した状態でウォーム減速機１をハンドル操作によって浮体構造起伏型扉体２５を閉操作すると、ワイヤー巻取り・巻出しドラム５がワイヤーロープ２２を巻き取り、図３（ａ）に示すとおり、扉体２５を起立作動させることができる。
【００２１】
同様に、多板クラッチ２を接続した状態でウォーム減速機１をハンドル操作によって扉体２５を開操作すると、ワイヤー巻取り・巻出しドラム５がワイヤーロープ２２を巻出し、図３（ｂ）に示すとおり扉体２５を自重によって倒伏作動させることができる。
【００２２】
図３（ａ）に示す扉体起立状態では、ワイヤーロープ２２には扉体２５の自重による倒伏方向モーメントにより緊張力が作用している。この状態で、図１に示すクラッチ入り切り操作ハンドル１０を操作して多板クラッチ２を開放することにより、ワイヤー巻取り・巻出しドラム５を巻出し方向に自由回転させ、扉体２５を自重によって倒伏作動させることができる。
【００２３】
このとき、ワイヤー巻取り・巻出しドラム５と連係している遠心ブレーキ９が作用して、ワイヤー巻取り・巻出しドラム５の回転速度を制御し、扉体２５の倒伏速度を制御し、急速な倒伏作動による事故の発生や、設備損傷の発生を防止する。
【００２４】
図４に示すように、ゲートの自動作動時には、多板クラッチ２を開放した状態とする。扉体２５が全倒伏し、ワイヤーロープ２２が巻き出された状態においてバネ式緊張装置６によりワイヤーロープ２２には常にバネ式緊張装置６の渦巻きバネによる緊張力が作用している。
【００２５】
図４に示すように、河川水位の変化によって扉体２５が起立作動すると、ワイヤー巻取り・巻出しドラム５がバネ装置６によって巻取り方向に回転してワイヤーロープ２２を巻取る。これによりワイヤーロープ２２に弛みが発生することを防止する。
【００２６】
河川水位の変化によって扉体２５が倒伏作動するときは、ワイヤー巻取り・巻き戻しドラム５がバネ装置６をねじりながら、巻出し方向に回転してワイヤーロープ２２を巻き出す。
【００２７】
以上のように、任意操作によって確実に扉体を開閉操作可能で、かつ自動作動に対しワイヤー巻取り・巻き戻しドラムを追従回転作動させることによりワイヤーロープの弛みを防止することができる。
【符号の説明】
【００２８】
１：ウォーム減速機                  ２：多板クラッチ
３：ギヤボックス(減速機)            ４：駆動軸
５：ワイヤー巻取り・巻き戻しドラム  ６：バネ式緊張装置
７：軸継手                          ８：遠心ブレーキ軸
９：遠心ブレーキ                  １０：クラッチ操作ハンドル
１１：開度計                        １２：装置架台
２１：扉体作動装置                  ２２：ワイヤーロープ
２３：転向滑車                      ２４：ワイヤーロープ連結部
２５：扉体                          ２６：ヒンジ
２７：側部戸当金物                  ２８：ワイヤー溝
２９：ワイヤーガイド                ３０：上部戸当金物
３１：上部支持金物                  ３２：ワイヤー巻取り装置
４１：本河川側の水位                ４２：支川側の水位
【図１】
0005495161.tif 000002
【図２】
0005495161.tif 000003
【図３】
0005495161.tif 000004
【図４】
0005495161.tif 000005
【図５】
0005495161.tif 000006
【図６】
0005495161.tif 000007